(57)【要約】      （修正有）【課題】気温の低い場所で用いる場合のように、細かい作業が困難な状況においても、誤操作を低減させる携帯端末を提供する。【解決手段】タッチパネルによる操作を受け付ける携帯端末１０１において、外気温が低い場合には、タッチパネル上の指示を受け付ける領域を拡大する。また、タッチパネル上に表示されるボタンを大きく表示する。【選択図】図１
2015064875.tif 000002
【特許請求の範囲】
【請求項１】
表示部における指示受付領域が押下されることで、ユーザからの指示を受け付ける携帯端末であって、
外部の状態を取得する取得手段と、
前記取得手段により取得した外部の状態が、予め定められた条件を満たす場合に、前記指示受付領域を変更する制御手段と、
を備えることを特徴とする携帯端末。 
【請求項２】
前記取得手段は、外気温を取得し、
前記制御手段は、前記取得手段により取得した外気温が、予め定められた条件を満たす場合に、前記指示受付領域を変更すること
を特徴とする請求項１に記載の携帯端末。
【請求項３】
前記制御手段は、前記取得手段により取得した外気の状態が、予め定められた条件を満たす場合に、前記指示受付領域を拡大することを特徴とする請求項１又は２に記載の携帯端末。
【請求項４】
前記制御手段は、前記指示受付領域の変更に合わせて、前記表示部に表示される指示を受け付けるボタンを変更することを特徴とする請求項１乃至３に記載の携帯端末。
【請求項５】
前記制御手段は、前記取得手段により取得した外気の状態が、予め定められた条件を満たす場合に、複数の指示受付領域の間隔を空けるように変更することを特徴とする請求項１乃至４に記載の携帯端末。
【請求項６】
前記指示受付領域の押下が、タッチペンによる押下であるか、指による押下であるかを判定する判定手段をさらに備え、
前記制御手段は、前記判定手段により、指による押下であると判定された場合は、指示受付領域を変更することを特徴とする請求項１乃至４に記載の携帯端末。
【請求項７】
表示部における指示受付領域が押下されることで、ユーザからの指示を受け付ける携帯端末における情報処理方法であって、
前記携帯端末の取得手段が、外気の状態を取得する取得工程と、
前記携帯端末の制御手段が、前記取得工程により取得した外気の状態が、予め定められた条件を満たす場合に、前記指示受付領域を変更する制御工程と、
を備えることを特徴とする情報処理方法。
【請求項８】
表示部における指示受付領域が押下されることで、ユーザからの指示を受け付ける携帯端末において実行可能なプログラムであって、
前記携帯端末を、
外気の状態を取得する取得手段と、
前記取得手段により取得した外気の状態が、予め定められた条件を満たす場合に、前記指示受付領域を変更する制御手段として機能させることを特徴とするプログラム。
【発明の詳細な説明】
【技術分野】
【０００１】
本発明は、携帯端末、情報処理方法、プログラムに関する。
【背景技術】
【０００２】
近年、タブレット端末やスマートフォン、ハンディターミナルといった携帯端末が様々な場面で、様々な業務に用いられている。
【０００３】
また、携帯端末の多くは、表示画面部分がタッチパネルとなっており、画面に表示されたボタンが直接押下されることで、ユーザによる操作・指示を受け付ける構成となっている。
【０００４】
上述のように携帯端末は様々な場所で用いられることから、使用される場所の環境によって、操作しやすい設定などが異なってくる。
【０００５】
特許文献１には、使用される場所の照度によって、タッチパネル上に表示されるボタンの大きさを変化させ、視認しやすいユーザインターフェースを提供する技術が記載されている。
【先行技術文献】
【特許文献】
【０００６】
【特許文献１】特開２００１−１９７１８５号公報
【発明の開示】
【発明が解決しようとする課題】
【０００７】
上述の通り、携帯端末は様々な場所で用いられ、例えば寒冷地や冷凍倉庫の中などでも用いられる。このように気温の低い場所で用いられる場合、ユーザは分厚い手袋をした状態で、携帯端末を操作するものと考えられる。
【０００８】
分厚い手袋をした状態で操作する場合、指先とタッチパネルとの接触面積が大きくなり、また接触位置を確認しづらくなることから、ユーザは自分が押そうとしたボタンとは異なるボタンを押下してしまうという誤操作が生じやすくなる。
【０００９】
また、船上などの海上で揺れている状況でのタッチパネルの操作は、小さいボタンの場合、誤ったボタンを押下してしまうことがある。
【００１０】
さらに、上述の場合ボタン領域が小さいと、押下しているつもりでも、押下を検出できない領域（ボタンではない領域）を押下してしまうということも生じ得る。
【００１１】
このように、例えば手袋を着用しての操作や、かじかんだ手での操作、揺れる船上での操作などの場合には、細かい作業が困難となり、誤操作を生じる可能性が高くなる。
【００１２】
そこで、本発明は、気温の低い場所で用いる場合などのように、細かい作業が困難な状況においても、誤操作を低減させる仕組みを提供することを目的とする。
【課題を解決するための手段】
【００１３】
本発明は、表示部における指示受付領域が押下されることで、ユーザからの指示を受け付ける携帯端末であって、外部の状態を取得する取得手段と、前記取得手段により取得した外部の状態が、予め定められた条件を満たす場合に、前記指示受付領域を変更する制御手段と、を備えることを特徴とする。
【００１４】
また、本発明は、表示部における指示受付領域が押下されることで、ユーザからの指示を受け付ける携帯端末における情報処理方法であって、前記携帯端末の取得手段が、外部の状態を取得する取得工程と、前記携帯端末の制御手段が、前記取得工程により取得した外部の状態が、予め定められた条件を満たす場合に、前記指示受付領域を変更する制御工程とを備えることを特徴とする。
【００１５】
また、本発明は、表示部における指示受付領域が押下されることで、ユーザからの指示を受け付ける携帯端末において実行可能なプログラムであって、前記携帯端末を、外部の状態を取得する取得手段と、前記取得手段により取得した外部の状態が、予め定められた条件を満たす場合に、前記指示受付領域を変更する制御手段として機能させることを特徴とする。
【発明の効果】
【００１６】
本発明によれば、気温の低い場所で用いる場合などのように、細かい作業が困難な状況においても、誤操作を低減させる仕組みを提供することが可能となる。
【図面の簡単な説明】
【００１７】
【図１】本発明の携帯端末１０１が備える機能を示す図である。
【図２】本発明の携帯端末１０１のハードウエア構成を示す図である。
【図３】本発明の携帯端末１０１が実行するモード切替処理の一例を示すフローチャートである。
【図４】図３におけるステップＳ３０６の詳細処理を示すフローチャートである。
【図５】図３におけるステップＳ３０７、Ｓ３０８の詳細処理を示すフローチャートである。
【図６】通常モードおよび低気温モードにおける表示画面の一例を示す図である。
【図７】通常モードおよび低気温モードにおける表示画面の一例を示す図である。
【図８】モード切替時に表示される確認画面の一例を示す図である。
【図９】モード切り替えの判断基準となる外気温の閾値を設定するための画面の一例を示す図である。
【図１０】低気温モードにおける検出領域を説明するための図である。
【図１１】低気温モードにおける表示画面を説明するための図である。
【図１２】低気温モードにおける表示画面及び検出領域を説明するための図である。
【図１３】低気温モードに移行する位置情報を記憶したデータの一例を示す図である。
【発明を実施するための形態】
【００１８】
以下、図面を参照して、本発明の実施形態を詳細に説明する。
【００１９】
図１は、本発明における携帯端末１０１が備える機能を説明した機能ブロック図である。
【００２０】
本発明において、携帯端末１０１は以下の機能部を備える。
【００２１】
取得部１５１は、携帯端末１０１が備える温度計機能により計測された気温を取得する機能を備える。
【００２２】
制御部１５２は、前記取得部１５１により取得した気温が予め設定された条件を満たす場合には、表示部１５４における指示受付領域を拡大する機能を備える。また、指示受付領域の拡大に合わせて、表示部１５４に表示されるボタンを拡大する機能を備える。
【００２３】
判定部１５３は、ユーザによるタッチパネルを介した指示が、タッチペンを用いたものであるか、ユーザの指を用いたものであるかを判定する機能を備える。
【００２４】
表示部１５４は、タッチパネルとなっており、タッチパネルの指示受付領域がユーザにより押下（接触）されることで、携帯端末への指示を受け付ける機能を備える。また、表示部には、ユーザによる押下を検出する指示受付領域をボタンとして表示する機能を備える。また、その他必要な情報を表示する機能を備える。
【００２５】
次に図２を用いて、本発明における携帯端末１０１のハードウエア構成について説明する。
【００２６】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な各種プログラム等が記憶されている。
【００２７】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００２８】
また、２０５は入力コントローラで、入力装置２０９等からの入力を制御する。２０６はビデオコントローラで、液晶ディスプレイ等のディスプレイ装置２１０への表示を制御する。なお、ディスプレイ装置は、液晶ディスプレイに限られず、ＣＲＴディスプレイなどであっても良い。これらは必要に応じてクライアントが使用するものである。
【００２９】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００３０】
２０８は通信Ｉ／Ｆコントローラで、ネットワーク（例えば、図１に示したＬＡＮ４００）を介して外部機器と接続・通信するものであり、ネットワークでの通信制御処理を実行する。例えば、ＴＣＰ／ＩＰを用いた通信等が可能である。
【００３１】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
【００３２】
ハードウエア上で動作する各種プログラムは、外部メモリ２１１に記録されており、必要に応じてＲＡＭ２０２にロードされることによりＣＰＵ２０１によって実行されるものである。
【００３３】
プリンタコントローラ２１２は、サーマルドットライン方式プリンタ２１３等の印刷機を制御する。
【００３４】
スキャナコントローラ２１４は、スキャナ２１５等の識別器を制御する。
【００３５】
なお、全ての装置がこれらの構成を備えているわけではなく、必要なものを夫々備えていればよい。
【００３６】
次に図３を用いて、本発明の実施形態におけるモード切替処理について説明する。
【００３７】
なお、図３に示す処理は、携帯端末１０１のＣＰＵ２０１が所定の制御プログラムを読み出して実行する処理である。また、図３に示す処理は、例えば１０秒毎といったように所定の間隔で繰り返し実行される処理である。
【００３８】
ステップＳ３０１では、携帯端末１０１のＣＰＵ２０１は、直近の操作（タッチパネルを介した操作）が、指によるものであるか、いわゆるタッチペンを用いたものであるかを取得する。
【００３９】
すなわち、ユーザは自らの指によってタッチパネル上に表示されたボタンを押下したのか、それともタッチペン用いてタッチパネル上に表示されたボタンを押下したのかを判断する。
【００４０】
なお、本ステップにおける処理に必要となるため、携帯端末１０１のＣＰＵ２０１は、タッチパネルを介した操作を受け付けた場合には、その都度、当該操作が指によるものか、タッチペンによるものかを判断する。
【００４１】
タッチペンによる操作であった場合（ステップＳ３０３：ＹＥＳ）は、処理をステップＳ３０８に移行する。ステップＳ３０８の処理の詳細については、図５を用いて説明する。
【００４２】
タッチペンによる操作ではない場合（すなわち指による操作である場合）（ステップＳ３０３：ＮＯ）は、処理をステップＳ３０４に移行する。
【００４３】
なお、タッチペンによる操作であるか、指による操作であるかは、ボタン押下を検知した際のタッチパネル上の接触面積や、圧力などにより判断することが可能である。例えば、接触面積が所定の値（例えば直径２ｍｍ）以下であればタッチペンと判断し、それ以上であれば指であると判断することができる。
【００４４】
ステップＳ３０４では、携帯端末１０１のＣＰＵ２０１は、外気温を取得する。なお、本実施形態においては、携帯端末１０１に温度計機能が付属しているものとして、当該温度計機能により計測された外気温を取得するものとするが、必ずしも温度計機能を持つ必要はなく、たとえば、現在の位置情報を携帯端末が有するＧＰＳ機能や基地局からの取得もしくは算出し、現在地の周辺の気温を保持するサーバに通信して、現在地の気温を取得しても良い。
【００４５】
また、他の実施例として、現在の位置情報から、冬の屋外であれば、下記で説明する低気温モードとしても良いし、また、現在の位置情報から、海上にいると判断すれば、低気温モードとしても良い。携帯端末により算出された現在の位置情報から、下記で説明する低気温モードに移行する条件を図１３を参照して説明する。
【００４６】
図１３は、本発明の低気温モードに移行する位置情報を記憶したデータの一例を示す図である。
【００４７】
図１３の１３０１と１３０２は、位置情報の緯度経度であり、１３０１と１３０２の２点を対角線とする領域内を１３０３に記載のモードとして機能させる例を示している。これらの位置情報とモード情報とを関連付けている情報は、携帯端末で保持していても良いし、通信可能なサーバが保持していても良い。
【００４８】
また、他の実施例として、携帯端末が有するジャイロセンサにより、携帯端末の動揺周波数が、船に乗っているときの揺れである１．２Ｈｚ以下である場合などの判断で低気温モードに移行しても良い。図３のフローチャートの説明に戻る。
【００４９】
ステップＳ３０５では、携帯端末１０１のＣＰＵ２０１は、ステップＳ３０４で取得した外気温が、所定の気温以上であるかを判断する。なお、所定の気温以上であるかの判断の他に、前述した現在地情報から、所定の位置（海上や冬の北海道で屋外にいる）などの条件が合うかどうかで判断しても良い。この判断基準は予めユーザにより設定されていても良い。
【００５０】
外気温で判断する場合、判断基準となる気温は、図９に示す画面を介して設定される。図９に示す例では、３．０℃が閾値であり、３．０℃以上であればステップＳ３０５でＹＥＳと判断され、３．０℃未満であればステップＳ３０５でＮＯと判断される。
【００５１】
所定の気温以上である場合（ステップＳ３０５：ＹＥＳ）、すなわち素手で操作できる場合は、処理をステップＳ３０７に移行する。ステップＳ３０７の処理の詳細は、図５を用いて説明する。
【００５２】
所定の気温未満である場合（ステップＳ３０５：ＮＯ）は、すなわち低気温モードの場合は、処理をステップＳ３０６に移行する。ステップＳ３０６の処理の詳細は、図４を用いて説明する。
【００５３】
以下、ステップＳ３０６、Ｓ３０７、Ｓ３０８の詳細処理について、図４、図５を用いて説明する。
【００５４】
図４は、ステップＳ３０６の詳細処理を示すフローチャートである。
【００５５】
ステップＳ４０１では、携帯端末１０１のＣＰＵ２０１は、図８（Ａ）に一例を示す確認画面を表示する。
【００５６】
確認画面には、低気温モードに切り替える旨の情報と、切り替えを承認するか否かの選択を受け付けるボタン（ＯＫボタン８０１、キャンセルボタン８０２）が表示されている。
【００５７】
ステップＳ４０２では、携帯端末１０１のＣＰＵ２０１は、図８（Ａ）に示す画面において、低気温モードへの切り替えを承認する旨の指示がなされたか否かを判断する。具体的には図８（Ａ）の例では、ＯＫボタン８０１が押下されたか、キャンセルボタン８０２が押下されたかにより判断する。
【００５８】
ＯＫボタン８０１が押下された場合（ステップＳ４０２：ＹＥＳ）は、処理をステップＳ４０３に移行する。
【００５９】
キャンセルボタン８０２が押下された場合（ステップＳ４０２：ＮＯ）は、本フローチャートに示す処理を終了する。
【００６０】
ステップＳ４０３では、携帯端末１０１のＣＰＵ２０１は、低気温モードへ切り替える。
【００６１】
次に、図５を用いて、ステップＳ３０７、Ｓ３０８の詳細処理について説明する。
【００６２】
ステップＳ５０１では、携帯端末１０１のＣＰＵ２０１は、図８（Ｂ）に一例を示す確認画面を表示する。
【００６３】
確認画面には、通常モードに切り替える旨の情報と、切り替えを承認するか否かの選択を受け付けるボタン（ＯＫボタン８０３、キャンセルボタン８０４）が表示されている。
【００６４】
ステップＳ５０２では、携帯端末１０１のＣＰＵ２０１は、図８（Ｂ）に示す画面において、通常モードへの切り替えを承認する旨の指示がなされたか否かを判断する。具体的には図８（Ｂ）の例では、ＯＫボタン８０３が押下されたか、キャンセルボタン８０４が押下されたかにより判断する。
【００６５】
ＯＫボタン８０３が押下された場合（ステップＳ５０２：ＹＥＳ）は、処理をステップＳ５０３に移行する。
【００６６】
キャンセルボタン８０４が押下された場合（ステップＳ５０２：ＮＯ）は、本フローチャートに示す処理を終了する。
【００６７】
ステップＳ５０３では、携帯端末１０１のＣＰＵ２０１は、通常モードへ切り替える。
【００６８】
ここで、通常モードと低気温モードについて説明する。
【００６９】
通常モードとは、外気温が所定の気温を満たす場合（所定の気温以上の場合）およびタッチパネルへの操作をタッチペンを用いて行う場合に適用されるモードである。
【００７０】
通常モードが適用されている場合に表示される画面は、図６（Ａ）、図７（Ａ）などの画面である。
【００７１】
例えば図６（Ａ）や図７（Ａ）に示す画面では、図６（Ｂ）や図７（Ｂ）に示す画面（低気温モードにおいて表示される画面）に比べ、戻るボタン６０１、進むボタン６０２、登録ボタン７０１が小さくなっている。
【００７２】
これは、指やタッチペンで操作することから、ボタンを大きく表示する必要性が低いのに対して、一画面に表示される情報量を多くすることで（表示部を大きくすることで）、ユーザの利便性を向上させることができる。
【００７３】
そのため、低気温モードの場合に比較して、ボタン（ボタンが表示される領域（すなわち操作部））は小さく表示されるものである。
【００７４】
低気温モードとは、外気温が所定の気温を満たさない場合（所定の気温未満の場合）、もしくは揺れる船上で操作する場合などであって、タッチパネルへの操作をタッチペンによらずに行う場合に適用されるモードである。
【００７５】
低気温モードが適用されている場合に表示される画面は、図６（Ｂ）、図７（Ｂ）などの画面である。
【００７６】
例えば図６（Ｂ）や図７（Ｂ）に示す画面では、通常モードにおいて表示される画面（図６（Ａ）、図７（Ａ）に比べ、各ボタン（戻るボタン６０３、進むボタン６０４、登録ボタン７０２）が大きく表示されている。
【００７７】
また、図７（Ｂ）のスクロールバー７０３も図７（Ａ）のスクロールバーに比較して大きく表示されている。このように、ユーザが操作できる領域（ユーザからの指示を受け付ける領域）については、ボタンではなくとも大きく表示することで、ユーザの操作性を向上させることが可能となる。
【００７８】
これは、気温が低い場合には厚い手袋をはめて操作をすることがあり、また、船上などの揺れる状況での操作する場合には、接触面積が広くなり小さなボタンでは誤操作（隣のボタンを押下してしまうケースや、ボタンを押下しているつもりでも押下できていないケース）が発生してしまうため、このような誤操作を低減させるためである。
【００７９】
低気温モードについて、図６、図７に示す例では、実際の表示部に表示されるボタンの大きさを大きくする例を説明した。
【００８０】
これに対して、図１０は、実際に表示される画面構成は通常モードにおける場合と変えず、指示を検出する領域（指示受付領域）を通常モードに比べ広くした実施例である。
【００８１】
図１０（Ａ）は、図６に示す画面に対応する画面である。図１０（Ａ）では、破線で囲まれた領域１００１は戻るボタンの押下を検出する領域である。すなわち、破線で囲まれた領域１００１が押下されることで、戻るボタンが押下されたものとしてユーザの指示を検出することとなる。
【００８２】
同様に、破線で囲まれた領域１００２は、進むボタンの押下を検出する領域である。
【００８３】
また、図１０（Ｂ）は図７に示す画面に対応する画面である。図１０（Ｂ）では、破線で囲まれた領域１００３が、登録ボタンの押下を検出する領域となる。
【００８４】
このように、実際に表示部に表示される画面（実際にユーザが視認する画面）については、通常モードと同じ構成のままで、ボタン押下を検出する領域を広くすることでも、本発明の課題を解決することは可能である。これにより、一画面に表示できる情報量を確保しつつ、誤操作を低減させることが可能となる。
【００８５】
また、低気温モードについて、図６、図７で説明した例の他の実施形態を図１１を参照して説明する。
【００８６】
図１１（Ａ）は、図６（Ａ）の通常モードの際の表示を低気温モードに変更した際の実施形態である。
【００８７】
図１１（Ａ）での戻るボタン１１０１や進むボタン１１０２は、図６（Ａ）の通常モードでの戻るボタン６０１や進むボタン６０２に比べて、２つのボタンの間に空間（隙間）を空けて表示している。この表示されているボタンの領域１１０１や１１０２のみ、ユーザの指示を検出することができる。
【００８８】
このように、通常モードでのボタンの間隔を低気温モードではより広く空けることにより、低気温で手が震えている場合などに、誤って隣のボタンを押す確率を減らすことができるという効果を有する。
【００８９】
同様に、図１１（Ｂ）は、図７（Ａ）の通常モードの際の表示を低気温モードに変更した際の実施形態である。
【００９０】
図１１（Ｂ）では、図７（Ａ）の登録ボタン７０１と同様の登録ボタン１１０３を表示しているが、次の行１１０４欄は空行として何も表示していない。なお、この登録ボタンの指示を検出する領域（指示受付領域）は、登録ボタン１１０３と同様の大きさでも良いし、図１０（Ａ）や図１０（Ｂ）のように、拡大された範囲としても良い。
【００９１】
図１１（Ａ）の場合と同様に、図１１（Ｂ）でも通常モードでのボタンの間隔を低気温モードではより広く空けることにより、低気温で手が震えている場合などに、誤って隣のボタンを押す確率を減らすことができるという効果を有する。
【００９２】
また、低気温モードについて、図６（Ｂ）と図７（Ｂ）の変形例を図１２を参照して説明する。
【００９３】
図１２（Ａ）は、図６（Ｂ）の低気温モードの際の変形例である。図１２（Ａ）の戻るボタン１２０１が表示されている領域は、図６（Ｂ）の戻るボタン６０３と同じであるが、指示を検出する領域（指示受付領域）は、破線で囲まれた領域１２０２だけとし、進むボタンの指示を検出する領域（指示受付領域）との間隔を空けている。
【００９４】
このような制御により、低気温で手が震えている場合などに、誤って隣のボタンを押す確率を減らすことができるという効果を有する。
【００９５】
また、図１２（Ｂ）は、図７（Ｂ）の低気温モードと図１０（Ｂ）とを組み合わせ、さらに登録ボタンの指示を検出する領域（指示受付領域）の間隔を空けている例である。図１２（Ｂ）の破線で囲まれた指示を検出する領域（指示受付領域）１２０３は、登録ボタン１２０４より広く設定されているが、隣の登録ボタン１２０５との間隔は表示されている登録ボタン１２０４，１２０５の幅よりも小さく設定されている。
【００９６】
このような、図１１や図１２の制御により、低気温で手が震えている場合などに、誤って隣のボタンを押す確率を減らすことができるという効果を有する。
【００９７】
以上の図３〜図５の処理により、手袋を着用した指によって操作がされていると考えられる場合には、タッチパネルにおける指示を検出する領域を広げることで、誤操作を低減させることが可能となる。
【００９８】
他方、外気温が低い場合であっても、指ではなくタッチペンを用いて操作する場合には、接触面積が広くなることによる誤操作のおそれが低いため、通常の画面構成とすることで、一画面に表示できる情報量を確保でき、ユーザの利便性を損なうことがない。
【００９９】
また、通常使用する環境の外気温が低く、手袋を着用して使用する環境がデフォルトの場合、通常はユーザからの指示受付領域が大きく、一画面に表示できる情報量が少ないが、外気温が常温の範囲になれば、指示受付領域を狭くして一画面に表示できる情報量を増やすことでユーザの利便性を上げることもできる。
【０１００】
なお、上述した各種データの構成及びその内容はこれに限定されるものではなく、用途や目的に応じて、様々な構成や内容で構成されることは言うまでもない。
【０１０１】
また、本発明におけるプログラムは、図３〜図５の処理をコンピュータに実行させるプログラムである。なお、本発明におけるプログラムは、図３〜図５の各処理ごとのプログラムであってもよい。
【０１０２】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【０１０３】
この場合、記録媒体から読み出されたプログラム自体が本発明の新規な機能を実現することになり、そのプログラムを記録した記録媒体は本発明を構成することになる。
【０１０４】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【０１０５】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１０６】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０７】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１０８】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１０９】
１０１  携帯端末
【図１】
2015064875.tif 000003
【図２】
2015064875.tif 000004
【図３】
2015064875.tif 000005
【図４】
2015064875.tif 000006
【図５】
2015064875.tif 000007
【図６】
2015064875.tif 000008
【図７】
2015064875.tif 000009
【図８】
2015064875.tif 000010
【図９】
2015064875.tif 000011
【図１０】
2015064875.tif 000012
【図１１】
2015064875.tif 000013
【図１２】
2015064875.tif 000014
【図１３】
2015064875.tif 000015